(57)【特許請求の範囲】
【請求項１】
第１の周波数帯の送信信号を送信する第１の送信手段と、
前記第１の周波数帯の受信信号を受信する第１の受信手段と、
前記第１の周波数帯とは異なる第２の周波数帯の送信信号を送信する第２の送信手段と、
前記第２の周波数帯の受信信号を受信する第２の受信手段と、
を備えたデュアルバンドの通信装置において、
前記第１の送信手段及び前記第１の受信手段に対応して前記第１の周波数帯において送受信を行うために設けられた第１のアンテナと、
前記第２の送信手段及び前記第２の受信手段に対応して前記第２の周波数帯において送受信を行うために設けられた第２のアンテナと、
前記第１の受信手段が前記第１の周波数帯の受信信号を受信する際に、ダイバーシティー制御により、前記第１のアンテナ及び前記第２のアンテナにおける受信状況に基づいて前記第１のアンテナ又は前記第２のアンテナを選択する制御部と、
前記第１の受信手段を前記第１のアンテナ側又は前記第２のアンテナ側に選択的に接続するように切り替える切り替え手段であって、前記第１の受信手段が前記第１の周波数帯の受信信号を受信する際に、前記制御部により、前記第１のアンテナが選択された場合に前記第１のアンテナ側に前記第１の受信手段の接続を切り替え、前記第２のアンテナが選択された場合に前記第２のアンテナ側に前記第１の受信手段の接続を切り替える切り替え手段と、
を備えたことを特徴とする通信装置。
【請求項２】
前記第１の送信手段及び前記第１の受信手段に対応して前記第１の周波数帯において送受信を行うための第1の外部アンテナが接続可能な第１の接続端子と、
前記第１の接続端子と前記第１のアンテナにより構成される第１アンテナ部と、
前記第２の送信手段及び前記第２の受信手段に対応して前記第２の周波数帯において送受信を行うための第２の外部アンテナが接続可能な第２の接続端子と、
前記第２の接続端子と前記第２のアンテナにより構成される第２アンテナ部と、
前記第１の接続端子に前記第１の外部アンテナが接続された際に、前記第１の送信手段及び前記第１の受信手段を前記第１の接続端子に接続するように切り替え、前記第１の接続端子に前記第１の外部アンテナが接続されていない時には、前記第１の送信手段及び前記第１の受信手段を前記第１のアンテナに接続するように切り替える第１の端子切り替え手段と、
前記第２の接続端子に前記第２の外部アンテナが接続された際に、前記第２送信手段及び前記第２の受信手段、若しくは前記第１の受信手段を前記第２の接続端子に接続するように切り替え、前記第２の接続端子に前記第２の外部アンテナが接続されていない時には、前記第２の送信手段及び前記第２の受信手段、若しくは前記第１の受信手段を前記第２のアンテナに接続するように切り替える第２の端子切り替え手段と、を更に備え、
前記制御部は、前記第１の外部アンテナ及び前記第２の外部アンテナが接続されている状態で前記第１の受信手段が前記第１の周波数帯の受信信号を受信する際に、ダイバーシティー制御により、前記第１の外部アンテナ及び前記第２の外部アンテナにおける受信状況に基づいて前記第１の外部アンテナ又は前記第２の外部アンテナを選択し、
前記切り替え手段は、前記第１の受信手段が前記第１の周波数帯の受信信号を受信する際に、前記制御部により、前記第１の外部アンテナが選択された場合に前記第１アンテナ部に前記第１の受信手段の接続を切り替え、前記第２の外部アンテナが選択された場合に前記第２アンテナ部に前記第１の受信手段の接続を切り替えることを特徴とする請求項１記載の通信装置。
【請求項３】
前記第１の送信手段及び前記第１の受信手段に対応して前記第１の周波数帯において送受信を行うための第1の外部アンテナが接続可能な第１の接続端子と、
前記第１の接続端子と前記第１のアンテナにより構成される第１アンテナ部と、
前記第２の送信手段及び前記第２の受信手段に対応して前記第２の周波数帯において送受信を行うための第２の外部アンテナが接続可能な第２の接続端子と、
前記第２の接続端子と前記第２のアンテナにより構成される第２アンテナ部と、
前記第１の送信手段及び前記第１の受信手段を前記第１の接続端子または前記第１のアンテナに接続するように切り替える第１の切り替え手段と、
前記第２の送信手段及び前記第２の受信手段、若しくは前記第１の受信手段を前記第２の接続端子又は前記第２のアンテナに接続するように切り替える第２の切り替え手段と、を更に備え、
前記制御部は、前記第１の受信手段が前記第１の周波数帯の受信信号を受信する際に、ダイバーシティー制御により、前記第１のアンテナ、前記第１の外部アンテナ、前記第２のアンテナ、及び前記第２の外部アンテナにおける受信状況に基づいて、前記第１のアンテナ、前記第１の外部アンテナ、前記第２のアンテナ、又は前記第２の外部アンテナを選択し、
前記切り替え手段は、前記第１の受信手段が前記第１の周波数帯の受信信号を受信する際に、前記制御部により、前記第１のアンテナ若しくは前記第１の外部アンテナが選択された場合に、前記第１アンテナ部に前記第１の受信手段の接続を切り替え、前記第２のアンテナ若しくは前記第２の外部アンテナが選択された場合に、前記第２アンテナ部に前記第１の受信手段の接続を切り替え、
前記第１の端子切り替え手段は、前記第１の受信手段が前記第１の周波数帯の受信信号を受信する際に、前記制御部により、前記第１のアンテナが選択された場合に、前記第１のアンテナに前記第１の受信手段の接続を切り替え、前記第１の外部アンテナが選択された場合に、前記第１の外部アンテナに前記第１の受信手段の接続を切り替え、
前記第２の端子切り替え手段は、前記第１の受信手段が前記第１の周波数帯の受信信号を受信する際に、前記制御部により、前記第２のアンテナが選択された場合に、前記第２のアンテナに前記第１の受信手段の接続を切り替え、前記第２の外部アンテナが選択された場合に、前記第２の外部アンテナに前記第１の受信手段の接続を切り替えることを特徴とする請求項１記載の通信装置。
【請求項４】
第１の周波数帯の送信信号を送信する第１の送信手段と、
前記第１の周波数帯の受信信号を受信する第１の受信手段と、
前記第１の周波数帯とは異なる第２の周波数帯の送信信号を送信する第２の送信手段と、
前記第２の周波数帯の受信信号を受信する第２の受信手段と、
前記第１の送信手段及び前記第１の受信手段に対応して前記第１の周波数帯において送受信を行うために設けられた第１のアンテナと、
前記第２の送信手段及び前記第２の受信手段に対応して前記第２の周波数帯において送受信を行うために設けられた第２のアンテナと、
が接続された切り替え装置であって、
前記第１の受信手段が前記第１の周波数帯の受信信号を受信する際に、ダイバーシティー制御により、前記第１のアンテナ及び前記第２のアンテナにおける受信状況に基づいて前記第１のアンテナ又は前記第２のアンテナを選択する制御部と、
前記第１の受信手段を前記第１のアンテナ側又は前記第２のアンテナ側に選択的に接続するように切り替える切り替え手段であって、前記第１の受信手段が前記第１の周波数帯の受信信号を受信する際に、前記制御部により、前記第１のアンテナが選択された場合に前記第１のアンテナ側に前記第１の受信手段の接続を切り替え、前記第２のアンテナが選択された場合に前記第２のアンテナ側に前記第１の受信手段の接続を切り替える切り替え手段と、
を備えたことを特徴とする切り替え装置。
【発明の詳細な説明】
【０００１】
【発明の属する技術分野】
本発明は、通信装置及び切り替え装置に関する。
【０００２】
【従来の技術】
ＰＤＣ（Personal Digital Cellular）方式の通信装置では、音声通話及びデータ通信を行う際、ＴＤＭＡ（Time Division Multiple Access：時分割多元接続）方式で通信が行われている。ＰＤＣ方式では、受信の感度を向上させるため、時分割によりスイッチを高速に切り替えることで、２本のアンテナのうち受信状況が優れている方のアンテナに切り替えて受信を行うダイバーシティー受信が行われている。
【０００３】
また、外部アンテナが接続可能な外部端子を有する通信装置も登場している。外部端子を有する通信装置においては、スイッチによってアンテナと外部端子との使用の切り替えが行われている。このように、通信装置においては、送受信装置とアンテナ及び外部端子との間に、各種の切り替えを行うためのスイッチ回路が存在している。
【０００４】
図３は、従来技術におけるＰＤＣ（１．５ＧＨｚ）方式の携帯電話機３００の主要構成の一例を示すブロック図である。図３に示すように、携帯電話機３００は、アンテナＡＮＴ１、アンテナＡＮＴ２、外部端子Ａ−１、外部端子Ａ−２、可動切片ＳＷ１−１〜ＳＷ１−４を有するスイッチＳＷ１、スイッチＳＷ２、受信信号分離部ＲＸ及び送信信号分離部ＴＸを有するデュプレクサＤＵＰ１、受信装置ＲＸ１０１、送信装置ＴＸ２０１により構成されており、これらの各部は、それぞれ接続ｃ１〜ｃ１０によって接続されている。
【０００５】
受信装置ＲＸ１０１及び送信装置ＴＸ２０１は、アンテナＡＮＴ１、アンテナＡＮＴ２、外部端子Ａ−１に接続された外部アンテナ、外部端子Ａ−２に接続された外部アンテナのいずれかのアンテナを介してデータ通信及び通話を行っている。そのデータ通信あるいは通話中のアンテナＡＮＴ１、ＡＮＴ２、及び外部端子Ａ−１、Ａ−２を切り替えてダイバーシティー制御を行うためのスイッチＳＷ１及びスイッチＳＷ２、送信信号と受信信号を周波数の違いにより分離する共用器であるデュプレクサＤＵＰ１が設けられている。
【０００６】
送信時には、基本的にアンテナＡＮＴ１が使用され、外部端子Ａ−１に外部アンテナが接続されると外部端子Ａ−１が使用される。アンテナＡＮＴ１と外部端子Ａ−１との切り替えは、外部アンテナ接続時に制御部に制御されることによりスイッチＳＷ２の切り替えにより行われる。
【０００７】
受信時には、ダイバーシティー制御により、基本的にはアンテナＡＮＴ１又はアンテナＡＮＴ２のうち、受信状況が優れている方が選択される。外部アンテナ接続時には、２つの外部アンテナのうち、受信状況が優れているアンテナが選択される。これらのダイバーシティー受信による切り替え（ダイバーシティー制御）は、スイッチＳＷ１−１により行われる。そして、ＳＷ１−２、ＳＷ１−３、スイッチＳＷ２によって、最終的に使用するアンテナ又は外部端子へ接続が切り替えられる。
【０００８】
上記説明したＰＤＣ方式と並んで、近年、Ｗ−ＣＤＭＡ（Wide Band Code Division Multiple Access）方式が普及し始めている。Ｗ−ＣＤＭＡ方式は通信性能が優れているため、ＰＤＣ方式のようにダイバーシティー制御を行う必要がなく、アンテナ切り替えのためのスイッチ回路は単純なものとなっている。
【０００９】
図４は、従来技術におけるＷ−ＣＤＭＡ方式の携帯電話機４００の主要構成の一例を示すブロック図である。図４に示すように、携帯電話機４００は、アンテナＡＮＴ３、外部端子Ｂ、スイッチＳＷ３、受信信号分離部ＲＸ及び送信信号分離部ＴＸを有するデュプレクサＤＵＰ２、受信装置ＲＸ３０１、送信装置ＴＸ４０１により構成されており、これらの各部は、それぞれ接続ｄ１〜ｄ５によって接続されている。
【００１０】
受信装置ＲＸ３０１及び送信装置ＴＸ４０１は、アンテナＡＮＴ３又は外部端子Ｂのいずれかを介してデータ通信及び通話を行っている。そのデータ通信あるいは通話中のアンテナＡＮＴ３と外部端子Ｂを切り替えるためのスイッチＳＷ３、送信信号と受信信号を周波数の違いにより分離する共用器であるデュプレクサＤＵＰ２が設けられている。
【００１１】
送受信共、基本的にアンテナＡＮＴ３が使用され、外部端子Ｂに外部アンテナが接続されると外部端子Ｂが使用される。アンテナＡＮＴ３と外部端子Ｂの切り替えは、スイッチＳＷ３により行われる。
【００１２】
図５は、従来技術における上述のＰＤＣ方式とＷ−ＣＤＭＡ方式の双方の通信方式で利用可能なデュアルバンド携帯電話機５００の主要構成の一例を示すブロック図である。図５に示すように、デュアルバンド携帯電話機５００は、図３に示すＰＤＣ方式の回路構成と図４に示すＷ−ＣＤＭＡ方式の回路構成の双方を備えた構成となっている。
【００１３】
【発明が解決しようとする課題】
しかしながら、従来技術におけるデュアルバンド携帯電話機５００においては、ＰＤＣ方式の送受信用にアンテナＡＮＴ１又は外部端子Ａ−１、ダイバーシティー受信用にアンテナＡＮＴ２又は外部端子Ａ−２が設けられ、Ｗ−ＣＤＭＡ方式の送受信用にアンテナＡＮＴ３又は外部端子Ｂが設けられている。即ち、３つのアンテナ及び３つの外部端子が設けられていた。そのため、必要な部品点数、接続本数が多く、更に、スイッチの必要個数が多いため、切り替えのための制御も多く、複雑な回路構成となっていた。その結果、回路規模を大型にせざるを得なかった。
【００１４】
本発明の課題は、デュアルバンドの通信装置において、回路構成を簡単にし、必要部品の削減、制御の簡素化、及び回路規模の小型化を実現することである。
【００１５】
【課題を解決するための手段】
上記課題を解決するため、請求項１に記載の発明は、
第１の周波数帯の送信信号を送信する第１の送信手段と、
前記第１の周波数帯の受信信号を受信する第１の受信手段と、
前記第１の周波数帯とは異なる第２の周波数帯の送信信号を送信する第２の送信手段と、
前記第２の周波数帯の受信信号を受信する第２の受信手段と、
を備えたデュアルバンドの通信装置において、
前記第１の送信手段及び前記第１の受信手段に対応して前記第１の周波数帯において送受信を行うために設けられた第１のアンテナと、
前記第２の送信手段及び前記第２の受信手段に対応して前記第２の周波数帯において送受信を行うために設けられた第２のアンテナと、
前記第１の受信手段が前記第１の周波数帯の受信信号を受信する際に、ダイバーシティー制御により、前記第１のアンテナ及び前記第２のアンテナにおける受信状況に基づいて前記第１のアンテナ又は前記第２のアンテナを選択する制御部と、
前記第１の受信手段を前記第１のアンテナ側又は前記第２のアンテナ側に選択的に接続するように切り替える切り替え手段であって、前記第１の受信手段が前記第１の周波数帯の受信信号を受信する際に、前記制御部により、前記第１のアンテナが選択された場合に前記第１のアンテナ側に前記第１の受信手段の接続を切り替え、前記第２のアンテナが選択された場合に前記第２のアンテナ側に前記第１の受信手段の接続を切り替える切り替え手段と、
を備えたことを特徴としている。
【００１６】
請求項２に記載の発明は、請求項１に記載の発明において、
前記第１の送信手段及び前記第１の受信手段に対応して前記第１の周波数帯において送受信を行うための第1の外部アンテナが接続可能な第１の接続端子と、
前記第１の接続端子と前記第１のアンテナにより構成される第１アンテナ部と、
前記第２の送信手段及び前記第２の受信手段に対応して前記第２の周波数帯において送受信を行うための第２の外部アンテナが接続可能な第２の接続端子と、
前記第２の接続端子と前記第２のアンテナにより構成される第２アンテナ部と、
前記第１の接続端子に前記第１の外部アンテナが接続された際に、前記第１の送信手段及び前記第１の受信手段を前記第１の接続端子に接続するように切り替え、前記第１の接続端子に前記第１の外部アンテナが接続されていない時には、前記第１の送信手段及び前記第１の受信手段を前記第１のアンテナに接続するように切り替える第１の端子切り替え手段と、
前記第２の接続端子に前記第２の外部アンテナが接続された際に、前記第２送信手段及び前記第２の受信手段、若しくは前記第１の受信手段を前記第２の接続端子に接続するように切り替え、前記第２の接続端子に前記第２の外部アンテナが接続されていない時には、前記第２の送信手段及び前記第２の受信手段、若しくは前記第１の受信手段を前記第２のアンテナに接続するように切り替える第２の端子切り替え手段と、を更に備え、
前記制御部は、前記第１の外部アンテナ及び前記第２の外部アンテナが接続されている状態で前記第１の受信手段が前記第１の周波数帯の受信信号を受信する際に、ダイバーシティー制御により、前記第１の外部アンテナ及び前記第２の外部アンテナにおける受信状況に基づいて前記第１の外部アンテナ又は前記第２の外部アンテナを選択し、
前記切り替え手段は、前記第１の受信手段が前記第１の周波数帯の受信信号を受信する際に、前記制御部により、前記第１の外部アンテナが選択された場合に前記第１アンテナ部に前記第１の受信手段の接続を切り替え、前記第２の外部アンテナが選択された場合に前記第２アンテナ部に前記第１の受信手段の接続を切り替えることを特徴としている。
【００１７】
請求項３記載の発明は、請求項１記載の発明において、
前記第１の送信手段及び前記第１の受信手段に対応して前記第１の周波数帯において送受信を行うための第１の外部アンテナが接続可能な第１の接続端子と、
前記第１の接続端子と前記第１のアンテナにより構成される第１アンテナ部と、
前記第２の送信手段及び前記第２の受信手段に対応して前記第２の周波数帯において送受信を行うための第２の外部アンテナが接続可能な第２の接続端子と、
前記第２の接続端子と前記第２のアンテナにより構成される第２アンテナ部と、
前記第１の送信手段及び前記第１の受信手段を前記第１の接続端子または前記第１のアンテナに接続するように切り替える第１の切り替え手段と、
前記第２の送信手段及び前記第２の受信手段、若しくは前記第１の受信手段を前記第２の接続端子又は前記第２のアンテナに接続するように切り替える第２の切り替え手段と、を更に備え、
前記制御部は、前記第１の受信手段が前記第１の周波数帯の受信信号を受信する際に、ダイバーシティー制御により、前記第１のアンテナ、前記第１の外部アンテナ、前記第２のアンテナ、及び前記第２の外部アンテナにおける受信状況に基づいて、前記第１のアンテナ、前記第１の外部アンテナ、前記第２のアンテナ、又は前記第２の外部アンテナを選択し、
前記切り替え手段は、前記第１の受信手段が前記第１の周波数帯の受信信号を受信する際に、前記制御部により、前記第１のアンテナ若しくは前記第１の外部アンテナが選択された場合に、前記第１アンテナ部に前記第１の受信手段の接続を切り替え、前記第２のアンテナ若しくは前記第２の外部アンテナが選択された場合に、前記第２アンテナ部に前記第１の受信手段の接続を切り替え、
前記第１の端子切り替え手段は、前記第１の受信手段が前記第１の周波数帯の受信信号を受信する際に、前記制御部により、前記第１のアンテナが選択された場合に、前記第１のアンテナに前記第１の受信手段の接続を切り替え、前記第１の外部アンテナが選択された場合に、前記第１の外部アンテナに前記第１の受信手段の接続を切り替え、
前記第２の端子切り替え手段は、前記第１の受信手段が前記第１の周波数帯の受信信号を受信する際に、前記制御部により、前記第２のアンテナが選択された場合に、前記第２のアンテナに前記第１の受信手段の接続を切り替え、前記第２の外部アンテナが選択された場合に、前記第２の外部アンテナに前記第１の受信手段の接続を切り替えることを特徴としている。
【００１８】
請求項４に記載の発明は、
第１の周波数帯の送信信号を送信する第１の送信手段と、
前記第１の周波数帯の受信信号を受信する第１の受信手段と、
前記第１の周波数帯とは異なる第２の周波数帯の送信信号を送信する第２の送信手段と、
前記第２の周波数帯の受信信号を受信する第２の受信手段と、
前記第１の送信手段及び前記第１の受信手段に対応して前記第１の周波数帯において送受信を行うために設けられた第１のアンテナと、
前記第２の送信手段及び前記第２の受信手段に対応して前記第２の周波数帯において送受信を行うために設けられた第２のアンテナと、
が接続された切り替え装置であって、
前記第１の受信手段が前記第１の周波数帯の受信信号を受信する際に、ダイバーシティー制御により、前記第１のアンテナ及び前記第２のアンテナにおける受信状況に基づいて前記第１のアンテナ又は前記第２のアンテナを選択する制御部と、
前記第１の受信手段を前記第１のアンテナ側又は前記第２のアンテナ側に選択的に接続するように切り替える切り替え手段であって、前記第１の受信手段が前記第１の周波数帯の受信信号を受信する際に、前記制御部により、前記第１のアンテナが選択された場合に前記第１のアンテナ側に前記第１の受信手段の接続を切り替え、前記第２のアンテナが選択された場合に前記第２のアンテナ側に前記第１の受信手段の接続を切り替える切り替え手段と、
を備えたことを特徴としている。
【００２２】
【発明の実施の形態】
以下、図を参照して本発明の実施の形態について詳細に説明する。
まず、構成を説明する。
【００２３】
図１は、本実施の形態における携帯電話機１００の主要構成を示すブロック図である。携帯電話機１００は、ＰＤＣ方式（１．５ＧＨｚ）とＷ−ＣＤＭＡ方式の双方の通信方式で利用可能なデュアルバンドの携帯電話機である。
【００２４】
図１に示すように、携帯電話機１００は、アンテナＡＮＴ１０、アンテナＡＮＴ２０、外部端子Ｔ−１、外部端子Ｔ−２、スイッチＳＷ１０、スイッチＳＷ２０、スイッチＳＷ３０、受信信号分離部ＲＸ及び送信信号分離部ＴＸを有するデュプレクサＤＵＰ１、受信信号分離部ＲＸ及び送信信号分離部ＴＸを有するデュプレクサＤＵＰ２、受信装置ＲＸ１０１、送信装置ＴＸ２０１、受信装置ＲＸ３０１、送信装置ＴＸ４０１により構成されており、これらの各部は、それぞれ接続ａ１〜ａ１１によって接続されている。
【００２５】
アンテナＡＮＴ１０は、ＰＤＣ方式の信号の送信及び受信を行うために設けられたアンテナであり、図示しない基地局Ｂからの信号を受信してデュプレクサＤＵＰ１を介して受信装置ＲＸ１０１に供給し、送信装置ＴＸ２０１から入力される信号を、デュプレクサＤＵＰ１を介して基地局Ｂへ無線送信する。アンテナＡＮＴ１０は、第１のアンテナとしての機能を有する。
【００２６】
アンテナＡＮＴ２０は、ＰＤＣ方式の信号の受信、Ｗ−ＣＤＭＡ方式の信号の送信及び受信を行うために設けられたアンテナであり、図示しない基地局Ｂからの信号を受信してデュプレクサＤＵＰ１又はデュプレクサＤＵＰ２を介して受信装置ＲＸ１０１又は受信装置ＲＸ３０１に供給し、送信装置ＴＸ４０１から入力される信号を、デュプレクサＤＵＰ２を介して基地局Ｂへ無線送信する。アンテナＡＮＴ２０は、第２のアンテナとしての機能を有する。
【００２７】
外部端子Ｔ−１は、ＰＤＣ方式の信号の受信、Ｗ−ＣＤＭＡ方式の信号の送信及び受信を行うための外部アンテナを携帯電話機１００に接続するための端子である。外部アンテナは、外部端子Ｔ−１に接続されると、図示しない基地局Ｂからの信号を受信してデュプレクサＤＵＰ１又はデュプレクサＤＵＰ２を介して受信装置ＲＸ１０１又は受信装置ＲＸ３０１に供給し、送信装置ＴＸ４０１から入力される信号を、デュプレクサＤＵＰ２を介して基地局Ｂへ無線送信する。外部端子Ｔ−１は、第２の接続端子としての機能を有する。
【００２８】
外部端子Ｔ−２は、ＰＤＣ方式の信号の送信及び受信を行うための外部アンテナを携帯電話機１００接続するための端子である。外部アンテナは、外部端子Ｔ−２に接続されると、図示しない基地局Ｂからの信号を受信してデュプレクサＤＵＰ１を介して受信装置ＲＸ１０１に供給し、送信装置ＴＸ２０１から入力される信号を、デュプレクサＤＵＰ１を介して基地局Ｂへ無線送信する。外部端子Ｔ−２は、第１の接続端子としての機能を有する。
【００２９】
スイッチＳＷ１０は、図示しない制御部から制御されて接続ａ１又は接続ａ２側に切り替えられる。通常は、スイッチＳＷ１０は接続ａ１側であり、使用するアンテナがアンテナＡＮＴ１０に設定されている。外部アンテナが接続されると、スイッチＳＷ１０が接続ａ２側に切り替えられ、使用するアンテナが外部端子Ｔ−２に接続される外部アンテナに設定される。スイッチＳＷ１０は、第１の端子切り替え手段としての機能を有する。
【００３０】
スイッチＳＷ２０は、図示しない制御部から制御されて接続ａ３又は接続ａ４側に切り替えられる。通常は、スイッチＳＷ２０は接続ａ４側であり、使用するアンテナがアンテナＡＮＴ２０に設定されている。外部アンテナが接続されると、スイッチＳＷ２０は接続ａ３側に切り替えられ、使用するアンテナが外部端子Ｔ−１に接続される外部アンテナに設定される。スイッチＳＷ２０は、第２の端子切り替え手段としての機能を有する。
【００３１】
スイッチＳＷ３０は、図示しない制御部からの制御により、接続ａ５又は接続ａ６側に切り替えられる。スイッチＳＷ３０の切り替えは、ＰＤＣ方式により受信を行う際のダイバーシティー制御によるものであり、スイッチＳＷ３０は、外部アンテナ非接続状態では、アンテナＡＮＴ１０或いはアンテナＡＮＴ２０のうち、受信状況が良いアンテナ側に切り替えられ、外部アンテナ接続状態では、外部端子Ｔ−１或いはＴ−２のうち、受信状況の良い外部アンテナが接続されている外部端子側に切り替えられる。制御部は、判別手段としての機能を有し、スイッチＳＷ３０は、切り替え手段としての機能を有する。
【００３２】
デュプレクサＤＵＰ１は、誘電体フィルタ等により構成され、送信信号分離部ＴＸと受信信号分離部ＲＸとを備えている。送信信号分離部ＴＸは、接続ａ８により送信装置ＴＸ２０１に接続され、送信装置ＴＸ２０１から入力されるＰＤＣ方式（１．５ＧＨｚ帯）の送信信号（１４２９ＭＨｚ〜１４５３ＭＨｚの周波数）のみを通過させ、他の送信信号や受信信号を阻止及び抑圧する。受信信号分離部ＲＸは、接続ａ９により受信装置ＲＸ１０１に接続され、受信信号のうち、ＰＤＣ方式（１．５ＧＨｚ帯）の受信信号（１４７７ＭＨｚ〜１５０１ＭＨｚの周波数）のみを通過させ、他の受信信号や送信信号を阻止及び抑圧する。
【００３３】
デュプレクサＤＵＰ２は、誘電体フィルタ等により構成され、受信信号分離部ＲＸと送信信号分離部ＴＸとを備えている。受信信号分離部ＲＸは、接続ａ１０により受信装置ＲＸ３０１に接続され、受信信号のうち、Ｗ−ＣＤＭＡ方式の受信信号（２１１０ＭＨｚ〜２１７０ＭＨｚの周波数）のみを通過させ、他の受信信号や送信信号を阻止及び抑圧する。送信信号分離部ＴＸは、接続ａ１１により送信装置ＴＸ４０１に接続され、送信装置ＴＸ４０１から入力されるＷ−ＣＤＭＡ方式の送信信号（１９２０ＭＨｚ〜１９８０ＭＨｚの周波数）のみを通過させ、他の送信信号や受信信号を阻止及び抑圧する。
【００３４】
受信装置ＲＸ１０１は、デュプレクサＤＵＰ１を通過した受信信号をＰＤＣ方式に基づいて受信処理する。受信装置ＲＸ１０１は、第１の受信手段としての機能を有する。
送信装置ＴＸ２０１は、ＰＤＣ方式に基づいて送信信号の送信処理を行う。送信装置ＴＸ２０１は、第１の送信手段としての機能を有する。
受信装置ＲＸ３０１は、デュプレクサＤＵＰ２を通過した受信信号をＷ−ＣＤＭＡ方式に基づいて受信処理する。受信装置ＲＸ３０１は、第２の受信手段としての機能を有する。
送信装置ＴＸ４０１は、Ｗ−ＣＤＭＡ方式に基づいて送信信号の送信処理を行う。送信装置ＴＸ４０１は、第２の送信手段としての機能を有する。
【００３５】
次に、動作について図１を参照して説明する。
ＰＤＣ方式における送信処理において、送信装置ＴＸ２０１から出力された送信信号は、接続ａ８、デュプレクサＤＵＰ１、接続ａ５を経由し、スイッチＳＷ１０の切り替えにより接続ａ１及びアンテナＡＮＴ１０を介して、または接続ａ２及び外部端子Ｔ−２から外部アンテナを介して送信される。なお、ＰＤＣ方式による送信時には、基本的にアンテナＡＮＴ１０が使用され、外部端子Ｔ−２に外部アンテナが接続されると外部端子Ｔ−２が使用される。
【００３６】
ＰＤＣ方式における受信処理は、ダイバーシティー制御により、外部アンテナ非接続状態では、基本的にはアンテナＡＮＴ１０又はアンテナＡＮＴ２０のうち、受信状況が優れているアンテナが選択され、選択されたアンテナから受信された受信信号を受信装置ＲＸ１０１により受信処理する。外部アンテナが接続されると、外部端子Ｔ−１又は外部端子Ｔ−２のうち、受信状況が優れている外部アンテナが接続されている外部端子が選択され、選択された外部端子が接続された外部アンテナから受信された受信信号を受信信号ＲＸ１０１により受信処理する。
【００３７】
ＰＤＣ方式における受信処理において、ダイバーシティー制御によりアンテナＡＮＴ１０を選択する場合、外部アンテナ非接続状態でスイッチＳＷ３０は接続ａ５側に切り替えられる。これにより、アンテナＡＮＴ１０から受信した受信信号は、接続ａ１、スイッチＳＷ１０、接続ａ５、スイッチＳＷ３０、接続ａ７、デュプレクサＤＵＰ１、接続ａ９を経由して受信装置ＲＸ１０１にて受信処理される。
【００３８】
ＰＤＣ方式における受信処理において、ダイバーシティー制御により外部端子Ｔ−２を選択する場合、外部アンテナ接続状態でスイッチＳＷ３０は接続ａ５側に切り替えられる。これにより、外部端子Ｔ−２に接続された外部アンテナから受信した受信信号は、接続ａ２、スイッチＳＷ１０、接続ａ５、スイッチＳＷ３０、接続ａ７、デュプレクサＤＵＰ１、接続ａ９を経由して受信装置ＲＸ１０１にて受信処理される。
【００３９】
ＰＤＣ方式における受信処理において、ダイバーシティー制御により外部端子Ｔ−１を選択する場合、外部アンテナ接続状態でスイッチＳＷ３０は接続ａ６側に切り替えられる。これにより、外部端子Ｔ−１に接続された外部アンテナから受信した受信信号は、接続ａ３、スイッチＳＷ２０、接続ａ６、スイッチＳＷ３０、接続ａ７、デュプレクサＤＵＰ１、接続ａ９を経由して受信装置ＲＸ１０１にて受信処理される。
【００４０】
ＰＤＣ方式における受信処理において、ダイバーシティー制御によりアンテナＡＮＴ２０を選択する場合、外部アンテナ非接続状態でスイッチＳＷ３０は接続ａ６側に切り替えられる。これにより、アンテナＡＮＴ２０から受信した受信信号は、接続ａ４、スイッチＳＷ２０、接続ａ６、スイッチＳＷ３０、接続ａ７、デュプレクサＤＵＰ１、接続ａ９を経由して受信装置ＲＸ１０１にて受信処理される。
【００４１】
Ｗ−ＣＤＭＡ方式における送信処理において、送信装置ＴＸ４０１から出力された送信信号は、接続ａ１１、デュプレクサＤＵＰ２、接続ａ６を経由し、スイッチＳＷ２０の切り替えにより、接続ａ３及び外部端子Ｔ−１から外部アンテナを介して、または接続ａ４及びアンテナＡＮＴ２０を介して送信される。なお、Ｗ−ＣＤＭＡ方式による送信時には、基本的にアンテナＡＮＴ２０が使用され、外部端子Ｔ−１に外部アンテナが接続されると外部端子Ｔ−１が使用される。
【００４２】
Ｗ−ＣＤＭＡ方式における受信処理において、外部端子Ｔ−１に外部アンテナが接続されていると、スイッチＳＷ２０は、接続ａ３側に切り替えられる。これにより、外部端子Ｔ−１に接続された外部アンテナから受信した受信信号は、接続ａ３、スイッチＳＷ２０、接続ａ６、デュプレクサＤＵＰ２、接続ａ１０を経由して受信装置ＲＸ３０１にて受信処理される。外部端子Ｔ−１に外部アンテナが接続されていない場合は、スイッチＳＷ２０は、接続ａ４側に切り替えられる。これにより、アンテナＡＮＴ２０から受信した受信信号は、接続ａ４、スイッチＳＷ２０、接続ａ６、デュプレクサＤＵＰ２、接続１０を経由して受信装置ＲＸ３０１にて受信処理される。
【００４３】
以上説明した様に、携帯電話機１００によれば、Ｗ−ＣＤＭＡ方式用に設けられた外部端子Ｔ−１及びアンテナＡＮＴ２０が、従来のＰＤＣ方式のダイバーシティー受信用に設けられていたアンテナ及び外部端子としての機能を併せ持つようにすることにより、アンテナ２つ、外部端子２つ、スイッチ３つという簡単な構成でＰＤＣ方式及びＷ−ＣＤＭＡ方式の２つの異なる通信方式で同時動作と、ＰＤＣ方式の受信におけるダイバーシティー制御が可能となる。
【００４４】
従って、従来よりもアンテナ数、外部端子数、接続本数、スイッチ個数等の必要部品数を削減することができる。また、スイッチの個数が減少することにより、切り替えのための制御も簡単になる。その結果、回路設計が簡単になり、回路が小型化する。
【００４５】
なお、上記実施の形態における記述内容は、本発明に係る携帯電話機１００の好適な一例であり、これに限定されるものではない。
例えば、上記実施の形態においては、ＰＤＣ方式とＷ−ＣＤＭＡ方式を利用可能な携帯電話機について説明しているが、通信方式は、これに限定されない。また、２つの通信方式を利用可能な携帯電話機に限らず、単一の通信方式であって、２つの周波数帯域を利用可能な携帯電話機においても適用可能であることは勿論である。
【００４６】
また、上記実施の形態においては、ダイバーシティー制御において、外部アンテナが接続されると、強制的にスイッチＳＷ１０及びスイッチＳＷ２０が切り替えられ、外部端子Ｔ−１と外部端子Ｔ−２に接続された２つの外部アンテナのうち、受信状況が優れている方の外部端子側に切り替えられることとしているが、アンテナＡＮＴ１０、アンテナＡＮＴ２０、外部端子Ｔ−１に接続された外部アンテナ、外部端子Ｔ−２に接続された外部アンテナの４つのアンテナのうち、受信状況が優れているアンテナに切り替えられることとしても良い。
【００４７】
また、本実施の形態の構成は、下記に説明する様に、応用することが可能である。
【００４８】
図２は、ＰＤＣ方式、Ｗ−ＣＤＭＡ方式、ＧＳＭ（Global System for Mobile Communications）方式及びＤＣＳ(Digital Communication System）方式の４つの異なる通信方式で利用可能な携帯電話機２００の主要構成の一例を示す図である。図２に示す様に、本構成は、図１に示す携帯電話機１００の主要構成の接続ａ６部分に、スイッチＳＷ４０を追加し、Ｗ−ＣＤＭＡ方式とＧＳＭ方式及びＤＣＳ方式とを切り替え可能としている。なお、ＧＳＭ方式及びＤＣＳ方式は、ダイバーシティー受信を行わない。
【００４９】
スイッチＳＷ４０には、接続ｂ１７を介してデュプレクサＤＵＰ３が接続されている。デュプレクサＤＵＰ３には、接続ｂ１３を介して受信装置ＲＸ５０１、接続ｂ１４を介して送信装置ＴＸ６０１、接続ｂ１５を介して受信装置ＲＸ７０１、接続ｂ１６を介して送信装置ＴＸ８０１がそれぞれ接続されている。スイッチＳＷ４０は、通信方式切り替え手段、第２の通信方式切り替え手段としての機能を有する。
【００５０】
デュプレクサＤＵＰ３は、ＧＳＭ／ＤＣＳ用のアンテナスイッチモジュールであり、１本のアンテナでＧＳＭ方式及びＤＣＳ方式の２つの異なる通信方式での送受信を可能とするため、ＧＳＭ方式の受信信号、ＧＳＭ方式の送信信号、ＤＣＳ方式の送信信号及びＤＣＳ方式の受信信号を周波数の違いで分離する。デュプレクサＤＵＰ３は、信号分離部としての機能を有する。
【００５１】
受信装置ＲＸ５０１は、デュプレクサＤＵＰ３を通過した受信信号をＧＳＭ方式に基づいて受信処理する。受信装置ＲＸ５０１は、第３の受信手段としての機能を有する。
送信装置ＴＸ６０１は、ＧＳＭ方式に基づいて送信信号の送信処理を行う。送信装置ＴＸ６０１は、第３の送信手段としての機能を有する。
受信装置ＲＸ７０１は、デュプレクサＤＵＰ３を通過した受信信号をＤＣＳ方式に基づいて受信処理する。受信装置ＲＸ７０１は、第４の受信手段としての機能を有する。
送信装置ＴＸ８０１は、ＤＣＳ方式に基づいて送信信号の送信処理を行う。送信装置ＴＸ８０１は、第４の送信手段としての機能を有する。
【００５２】
上記構成により、携帯電話機２００は、ＧＳＭ方式またはＤＣＳ方式による送受信を行う場合には、図示しない制御部からの制御により、スイッチＳＷ４０が接続ｂ１７側に切り替えられる。ただし、Ｗ−ＣＤＭＡ方式とＧＳＭ方式、ＤＣＳ方式とは同時動作は不可能な構成である。
【００５３】
以上説明した様に、携帯電話機２００は、携帯電話機１００の構成を応用し、スイッチＳＷ４０を追加することで、デュプレクサＤＵＰ３を介してＧＳＭ方式及びＤＣＳ方式の送受信装置５０１、６０１、７０１、８０１が切り替え接続可能となる。従って、アンテナ数を増加させることなく、簡単な回路構成で４つの異なる通信方式での通信が可能となる。
【００５４】
その他、携帯電話機１００及び携帯電話機２００の細部構成、及び詳細動作に関しても、本発明の趣旨を逸脱することのない範囲で適宜変更可能である。
【００５５】
【発明の効果】
本発明によれば、デュアルバンドの通信装置において、回路構成を簡単にし、必要部品の削減、制御の簡素化、及び回路規模の小型化を実現することができる。
【図面の簡単な説明】
【図１】本発明に係るデュアルバンドの携帯電話機１００の主要構成を示すブロック図である。
【図２】本発明に係る４つの通信方式で利用可能な携帯電話機２００の主要構成を示すブロック図である。
【図３】従来技術におけるＰＤＣ方式の携帯電話機３００の主要構成の一例を示すブロック図である。
【図４】従来技術におけるＷ−ＣＤＭＡ方式の携帯電話機４００の主要構成の一例を示すブロック図である。
【図５】従来技術におけるＰＤＣ方式及びＷ−ＣＤＭＡ方式で利用可能なデュアルバンド携帯電話機５００の主要構成の一例を示すブロック図である。
【符号の説明】
１００    携帯電話機
２００    携帯電話機
ＡＮＴ１０    アンテナ
ＡＮＴ２０    アンテナ
Ｔ−１    外部端子
Ｔ−２    外部端子
ＳＷ１０  スイッチ
ＳＷ２０  スイッチ
ＳＷ３０  スイッチ
ＳＷ４０  スイッチ
ＤＵＰ１    デュプレクサ（ＰＤＣ方式）
ＤＵＰ２    デュプレクサ（Ｗ−ＣＤＭＡ方式）
ＤＵＰ３    デュプレクサ（ＧＳＭ方式及びＤＣＳ方式）
ＲＸ１０１  受信装置（ＰＤＣ方式）
ＴＸ２０１  送信装置（ＰＤＣ方式）
ＲＸ３０１  受信装置（Ｗ−ＣＤＭＡ方式）
ＴＸ４０１  送信装置（Ｗ−ＣＤＭＡ方式）
ＲＸ５０１  受信装置（ＧＳＭ方式）
ＴＸ６０１  送信装置（ＧＳＭ方式）
ＲＸ７０１  受信装置（ＤＣＳ方式）
ＴＸ８０１  送信装置（ＤＣＳ方式）
ａ１〜ａ１１  接続
ｂ１〜ｂ１６  接続
【図１】
0003994316.tif 000002
【図２】
0003994316.tif 000003
【図３】
0003994316.tif 000004
【図４】
0003994316.tif 000005
【図５】
0003994316.tif 000006